Podtech/llm-jp-corpus-v4-ja_patent huggingface dataset:
(57)【要約】【課題】  吸汗と冷感によって、汗を継続的に抑制する用具を提供する。【解決手段】  基材１の周囲に粘着剤２によって高吸水性樹脂３を接着したものを、布４によって覆ったものとする。  これに水を掛けて含水させて、発汗部に接触させて使用する事によって、発汗部に冷感を与えるとともに、吸汗するものである。【選択図】図１
2008260253.tif 000002
【特許請求の範囲】
【請求項１】
スポンジ等の基材の周囲に、粘着剤等によって粉末状の高吸水性樹脂を固着し、布あるいは紙で覆ったもの。
【請求項２】
粘着性を有する樹脂等の基材の周囲に、粉末状の高吸水性樹脂を固着し、布あるいは紙で覆ったもの。
【請求項３】
布あるいは紙に、接着剤等で粉末状の高吸水性樹脂を固着し、高吸水性樹脂を固着した面を内側にして縫合あるいは接着したもの。
【請求項４】
粉末状の高吸水性樹脂を、布あるいは紙で包んで縫合あるいは接着したもの。
【発明の詳細な説明】
【発明の詳細な説明】
【技術分野】
【０００１】  本発明は、汗を抑制する技術に関するものであり、高吸水性樹脂を内包した用具に吸水させ、それを発汗部に接触させる事によって冷感を与えるとともに、吸汗するものである。
【背景技術】
【０００２】  従来、汗をタオル等で拭き取っても、また発汗してしまうので根本的な解決とならず、手や脇などが多汗症気味の人にとっては、悩みの種であった。
例えば手汗を予防するために、ハンカチやタオルを握った場合、湿気と体温が手にこもってしまい、かえって発汗を誘発してしまう事もあった。
また、身体を部分的に冷却するものも発汗抑制に有効であると考えられるが、このようなものとしては、現状一般的に３種類が存在する。
まず一つは保冷剤であり、塩化アンモニウムと水を封入した袋や、吸水した吸水ポリマーをプラスチックフィルムで密閉したものである。これは、表面がプラスチックフィルムであるため、発汗部と接触させた時に吸汗できないので、発汗抑制に関しては有効ではなかった。また、結露が生じるので、尚更濡れてしまうという難点もあった。
二つ目には、湿布薬など、膨潤した高分子ポリマーを肌に吸着させるタイプのものである。これは、汗をかくと吸着性が失われてはがれてしまうなど、発汗抑制に関しては有効ではなかった。さらに、肌との密着感が違和感として気になってしまっていた。
三つ目には冷却スプレーである。これは発汗する度にスプレーしなければならないので継続的な解決とはならず、また、使用後の缶の処分や、携帯時にかさ張るなどの不便性が有った。
【発明を実施するための最良の形態】
【０００３】  本発明は、汗を吸収し、かつ冷感を与える事によって、継続的に発汗を抑制する事を可能としたものである。
それを図面について説明すれば、基材１の周囲に粘着剤２によって高吸水性樹脂３を接着したものを、布４によって覆ったものである。
高吸水性樹脂としては、ポリアクリル酸ナトリウム塩など、特に吸水性に優れたものを使用する。
これに水を掛け、布４を透過して高吸水性樹脂を含水させ、手に握ったり脇に挟む等、発汗部に接触させて使用する。
また、紐等で首や肩から提げる形態や、シート状にしたものを胴部・腕・足・首等に巻きつけてマジックテープ等で止める形態とすれば利便性が増す。
図面では、キューブ状としてあるが、これに限定されるものではない。シート状にすれば身体との接触面積が広くなり機能性が増す。
【発明の効果】
【０００４】  このようにすれば、布４を通じて高吸水性樹脂３が汗を吸収し、なおかつ、水の冷感で発汗を抑制する事が可能となる。
なお、粉末状の高吸水性樹脂３に、塩化アンモニウムなど、水と溶解する時に吸熱反応するものを混入させておけば、冷感が増す。
また、体温で冷感が薄れた場合、空気にさらせば高吸水性樹脂から水が蒸散し、その時の気化熱によって再び冷感が生じる。従って、冷蔵庫で冷やすなどの追作業が不要である。
また、本発明では、吸水性樹脂３が水を保持し、肌と水との直接的接触による湿り感が無いので、汗抑制に限らず、不快感や違和感無く冷感を得る用途にも有効である。
【図面の簡単な説明】
【図１】汗抑制用具の断面図である。
【符号の説明】
１  基材
２  接着剤
３  高吸水性樹脂
４  布
【図１】
2008260253.tif 000003
(57)【要約】 【課題】  従来の建築用合わせ板の多数の溝は巾方向に突き抜けているため曲げに対して強度が弱く、かつ横から溝が見えて見栄えが良くない。本発明は反り、ねじれが生ぜず、かつ曲げに対して強度が強くて見栄えが良く、さらに二枚の板材を容易に、正確に接着できる建築用合わせ板を提供することである。【解決手段】  板目取りした二枚の板材を貼り合わせた建築用合わせ板において、前記板材の巾方向の両端に突き抜けておらず、かつ巾方向にのびる複数の溝を形成している。二枚の板材の溝同士は貼り合わされた状態で一致するように形成している。【選択図】  図４
2008260204.tif 000002
【特許請求の範囲】
【請求項１】
板目取りした二枚の板材を貼り合わせた建築用合わせ板において、前記板材の巾方向の両端に突き抜けておらず、かつ巾方向に伸びる複数の溝を形成していることを特徴とする建築用合わせ板。
【請求項２】
二枚の板材の溝同士は貼り合わされた状態で一致するように形成していることを特徴とする請求項１記載の建築用合わせ板。
【発明の詳細な説明】
【技術分野】
【０００１】
ドアなどの建具の框等に使用される建築用合わせ板に関する。
【背景技術】
【０００２】
丸太より板目取りした長尺の板材は乾燥すると反りが生じ易い。
【０００３】
そのため従来の建築用合わせ板として二枚の板材を張り合わせて互いに接着させている。その一方の板材には巾方向に突き抜けた多数の溝を形成し木材の繊維を切断して反り、ねじれを防止している（例えば特許文献１参照）。
【特許文献１】特開２０００−１３５７０５
【発明の開示】
【発明が解決しようとする課題】
【０００４】
従来の建築用合わせ板の多数の溝は巾方向に突き抜けているため曲げに対して強度が弱く、かつ横から溝が見えて見栄えが良くない。本発明は反り、ねじれが生ぜず、かつ曲げに対して強度が強くて見栄えの良い建築用合わせ板を提供することである。
【課題を解決するための手段】
【０００５】
上記の目的を達成するために請求項１記載の発明は、板目取りした二枚の板材を貼り合わせた建築用合わせ板において、前記板材の巾方向の両端に突き抜けておらず、かつ巾方向に伸びる複数の溝を形成していることを特徴とする。請求項２記載の発明は、二枚の板材の溝同士は貼り合わされた状態で一致するように形成していることを特徴とする。
【発明の効果】
【０００６】
請求項１記載の発明においては、溝は板材の巾方向の両端に突き抜けていないので見栄えが良く、曲げに対して強度が大であり、かつ溝が木材の繊維を切断しているため反り、ねじれが防止できる。また請求項２記載の発明においては、長尺の板材同士を長手方向と巾方向容易に、かつ正確に接着できる。
【発明を実施するための最良の形態】
【０００７】
図１は丸太を板目取りした長尺の板材１を示す。その板材１の巾方向の両端に突き抜けておらず、かつ巾方向に伸びる複数の溝２を図２、図３に示すように形成する。溝２の深さは、板厚の７０から８０％が好ましい。二枚の板材１は、溝同士が向かい合うように接着されて建築用合わせ板が出来る。
【０００８】
なお二枚の板材の溝同士は、図４に示すごとく一致するように形成されていることがより好ましい。一方の板材のいずれか一箇所の溝２内に溝巾と溝長さと略等しく、かつ溝深さより大きな位置決め板３を置き、その後他方の板材の対応する溝２位置決め板３を嵌めて板材同士を図５に示すごとく接着する。このようにすることによって長尺の板材同士を長手方向と巾方向容易に、かつ正確に接着できる。
【０００９】
図６は、合わせ板の第二の実施例を示し、溝４をジグザグ状に形成したものである。
【００１０】
図７は、合わせ板の第三の実施例を示し、この二つのジグザグ状の溝５を組み合わせたものである。
【００１１】
図８は、合わせ板の第四の実施例を示し、溝６を斜めに形成したものである。
【００１２】
図９は、合わせ板の第五の実施例を示し、溝７Ａと溝７ＢをＵ溝７Ｃで接続したものである。
【図面の簡単な説明】
【００１３】
【図１】丸太を板目取りした長尺の板材を示す。
【図２】多数の溝を形成した板材の平面図を示す。
【図３】図２の中央断面図を示す。
【図４】二枚の板材を貼り合わせた合わせ板の側面図を示す。
【図５】溝の一箇所に位置決め板を置いた一部断面図を示す。
【図６】第二の実施例の合わせ板を示す。
【図７】第三の実施例の合わせ板を示す。
【図８】第四の実施例の合わせ板を示す。
【図９】第五の実施例の合わせ板を示す。
【符号の説明】
【００１４】
１  丸太を板目取りした長尺の合わせ板
２  溝
３  位置決め板
【図１】
2008260204.tif 000003
【図２】
2008260204.tif 000004
【図３】
2008260204.tif 000005
【図４】
2008260204.tif 000006
【図５】
2008260204.tif 000007
【図６】
2008260204.tif 000008
【図７】
2008260204.tif 000009
【図８】
2008260204.tif 000010
【図９】
2008260204.tif 000011
(57)【要約】【課題】現在広く使用されている牛乳パックを開口する際、印刷された指示通りにしてもなかなか開口せず、爪でこじあけるなど常に困難を感じながら開口するのが常である。この困難と手で開口部を触る不衛生を解決する必要がある。【解決手段】牛乳パックあけ口を左右に広げたとき見える三角形頂部付近に図１に示すような開口用引き手をのり付けした牛乳パックを用いる。広げたあけ口を挟むように利き手で持ち、他の手で引き手を引くと楽に開口でき、さらに引きながらあけ口を押えると牛乳をコップに注げる状態となる。引き手の接着強度は強すぎず弱すぎず適切に調整する。【選択図】  図１
2008056258.tif 000002
【特許請求の範囲】
【請求項１】
上部のあけ口を左右に開いたとき見える三角面の頂部付近に、開口用引き手をつけた牛乳パック。
【発明の詳細な説明】
【技術分野】
【０００１】
牛乳パックを開口するとき、指を容器内側に指し込むことなく容易に開口できるようにする技術
【０００２】
現在広く用いられている牛乳パックは、上部あけ口を左右に開いて印刷された指示通りに操作しても口が開かず困難を感じることが多い。
【０００３】
開口部の中に指を入れることは衛生上もよくないし、さりとてある程度開口の糸口を作らないと開口できないという困難に常に直面する。
【０００４】
開口が容易な構造の牛乳パックに関するものがある。（特許文献１）
しかしこれは引き手をつけるものではない。その他牛乳パックの構造、あるいは牛乳パックを再生利用する方法などに関するものはあるが、開口を容易にする引き手を考慮したものは見当らない。
【０００５】
【特許文献１】特開２００４−１０１６９号公報
【発明の開示】
【発明が解決しようとする課題】
【０００６】
牛乳パックを開口するとき開口部に手を触れることなく、容易に開口できるようにする。
【課題を解決するための手段】
【０００７】
あけ口を左右に開いたとき見える三角面頂部付近に、開口用の引き手をつける。(図１参照)
【０００８】
あけ口両端を利き手で挟むように押えながら、他の手で三角面頂部の引き手を引いて開口し三角面の両側面が外に凸状になるまで引けば、牛乳を容器に注ぐことができる状態になる。
【０００９】
引き手の形状は、紐状、平面的、立体的など種々の形状のものが考えられるが、形状には拘らない。
【００１０】
リサイクル上の利便性から、引き手は牛乳パックとおなじ材料で作るのが望ましい。
【発明の効果】
【００１１】
牛乳パックが容易にかつ衛生的に開口できることは、手間の上でも心理的にも、その効果は極めて大きいと考えられる。
【００１２】
例えばお客の前で開口して牛乳を勧めることができるようになる。
【００１３】
開口後、引き手はそのままつけておいてもよいし、剥離除去してもよい。
【発明を実施するための最良の形態】
【００１４】
牛乳パックの上部あけ口を左右に開いたとき見える三角形の頂点付近に、図１に示すように開口用の引き手を付ける。
【００１５】
引き手は三角面頂部にのり付けするのがよい。
【００１６】
開口後引き手をつけたままにしておく場合を考えると、引き手は平面的構造が望ましい。
【００１７】
引き手の形は、指で挟んで,あるいは指をかけて引っ張ることを考えると環状にしておくのが望ましい。
【００１８】
引き手を引くことにより開口部の接着力に打ち勝って開口できるよう、引き手を接着する糊の材料、接着方法などを調整して接着強度をかなり大きくしておくことが必要である。
【００１９】
一方強くしすぎると剥離が困難になるおそれがあり、剥離後の表面状態も考慮して適切に調整する。
【００２０】
引き手の剥離が引く方向によって容易になるようにすることが望ましい。
【００２１】
引き手の貼付はパック製造工程中に入れることが望ましいが、牛乳を注入し封をした後に横から差し込み貼付する方法も考えられる。
【図面の簡単な説明】
【００２２】
【図１】引き手をつけた牛乳パック見取り図
【符号の説明】
【００２３】
１  牛乳パック本体
２  開口部
３  三角面
４  引き手
５  三角面の側面
６  あけ口
【図１】
2008056258.tif 000003
【手続補正書】
【提出日】平成18年8月31日(2006.8.31)
【手続補正１】
【補正対象書類名】特許請求の範囲
【補正対象項目名】全文
【補正方法】変更
【補正の内容】
【特許請求の範囲】
【請求項１】
上部のあけ口を左右に開いたとき見える三角面の頂部付近に開口用引き手をつけた紙製牛乳パックおよび同等の液体用容器。
(57)【要約】【課題】  ＣＤ等の記録媒体のパッケージへの収納・保管を確実にする。【解決手段】  円板状のつば部３から一体に立設した円筒状のタブ２にＣＤの中心孔を嵌入して係止するＣＤ用クランプ１において、前記タブ２の先端部に複数の円弧状の突出部からなる戻り止め部５を設けたことを特徴とするＣＤ用クランプに関する。【選択図】  図２
2008056259.tif 000002
【特許請求の範囲】
【請求項１】
円板状のつば部から一体に立設した円筒状のタブにＣＤの中心孔を嵌入して係止するＣＤ用クランプにおいて、
前記タブの先端部に戻り止めを設けたことを特徴とするＣＤ用クランプ。
【請求項２】
前記戻り止めが、前記タブの外周から突出した複数の円周方向に等間隔で配置された円弧状の突出部からなることを特徴とする請求項１に記載のＣＤ用クランプ。
【発明の詳細な説明】
【技術分野】
【０００１】
本発明は、ＣＤ、ＤＶＤ等の音楽・映像記録媒体、例えばＣＤ（コンパクト・ディスク）を収納・保管するＣＤパッケージに用いるＣＤ用クランプ（留め具）に関する。
【背景技術】
【０００２】
図４に示すように、従来、ＣＤ等を収納・保管するＣＤパッケージは、ＣＤホルダ２０と歌詞等を印刷した印刷物を収納するホルダ２１，２２とをそれぞれ一体に連接して、折り込み可能に構成してなる。
【０００３】
ＣＤを収納・保管するＣＤホルダ２０は、図４に示すように、ＣＤを挿入する円形状凹部２３と、凹部２３の中心に貼着され、ドーナツ状のＣＤの中心孔に嵌入してＣＤを留めるタブ２４と、ＣＤの着脱時に指をかける複数の指用スロット２５、とから構成されている。
【０００４】
また、ＣＤを嵌入するタブ２４は、図５と図６に示すように、タブ２４の中心に向って半径方向に形成されたスリット２４ｃと、これらスリット２４ｃの間に形成された複数の三角形状部２４ｂと、タブ２４の側面から延出したリング状の戻り止め２４ａから構成されている。
【０００５】
そして、このような構成により凹部２３に挿入したＣＤを戻り止め２４ａに引っかけて戻り止め２４ａの弾性によりタブ２４に係止できるようにしてある。
【０００６】
しかしながら、このような構成の従来のＣＤパッケージの留め具では、ＣＤの戻り止めが確実でなく、また、その製造も困難であるとする問題点があった。
【特許文献１】特公平７−１４７４３号公報
【発明の開示】
【発明が解決しようとする課題】
【０００７】
本発明が解決しようとする問題点は、ＣＤ用のクランプ（留め具）のタブが確実にＣＤを係止して戻り止めできず、また、ＣＤ用クランプの製造に要する費用が高くつく点である。
【課題を解決するための手段】
【０００８】
円板状のつば部から一体に立設した円筒状のタブにＣＤの中心孔を嵌入して係止するＣＤ用クランプにおいて、前記タブの先端部に複数の戻り止め部を設けたことを特徴とするＣＤ用クランプに関する。
【発明の効果】
【０００９】
ＣＤを確実にタブに係止できる。
【発明を実施するための最良の形態】
【００１０】
本発明のＣＤ用クランプ（留め具）１は、図１（ａ）、図１（ｂ）、図１（ｃ）及び図１（ｄ）に示すように、ＣＤ（コンパクト・ディスク）の中心孔に嵌めてＣＤをクランプにする円筒状のタブ２（例えば、１５ｍｍ径）と、タブ２を起立してその根元に一体化して形成する円板状のつば部３（例えば、３０ｍｍ径、１．８ｍｍ厚）とをポリプロピレン樹脂を射出成形により、一体成形してなる。
【００１１】
ＣＤを嵌入するタブ２は、図１（ａ）と図１（ｂ）に示すように、ボス部４とタブ２の外周部を連結する、例えば５本の、半径方向に延出したリブ部６からなり、タブ２の外周には、複数のリブ状突出部からなる戻り止め部５が形成されていて、その弾性により一旦タブ２に嵌入したＣＤの戻りを止める働きをしている。そして、このＣＤ用クランプは、例えば、紙製のＣＤパッケージのＣＤ収納面中心部に両面テープ等を用いて貼着され、ＣＤの収納・保管を行うようになっている。
【００１２】
とくに、本発明のＣＤ用クランプ１では、図２に、拡大してその縦断面を示すように、そのタブ２は、つば部３に一体に立設して射出成形により形成され、例えば、５本のリブ部６によりタブ２の中心に配置したボス部４に連結されている。
【００１３】
ここで、とくに本発明のＣＤ用クランプ１では、図２のＢ矢視部分拡大である図３に示すように、ＣＤの中心孔に嵌入するタブ２の先端部には、ＣＤの戻り止めとして機能する戻り止め部５が形成されている。この戻り止め部５は、図１（ｄ）に示すような、部分的に僅かに（ｈ＝０．０７ｍｍ）タブ２の半径方向に突出し、かつ、円周方向に等間隔で配置した平面視及び断面視円弧状（例えば、３ｍｍ半径）の複数（例えば５個の）のリブ状突出部からなる。
【００１４】
本発明のＣＤ用クランプでは、このようにして戻り止め部５をタブ２の先端部にもつＣＤ用クランプのつば部３の底面を、ＣＤ用パッケージのＣＤ収納面に両面テープ等を用いて貼着し、このタブ２の円弧状突出部５にＣＤの中心孔を円滑に嵌入して、円弧状かつ、リブ状の突出部の弾性によりＣＤがタブ２から外れることなく、ＣＤを確実に収納・保管できるようになる。
【産業上の利用可能性】
【００１５】
本発明のＣＤ用クランプは、音楽用ＣＤ、映像用ＤＶＤに限らず、広く円板状の記録媒体をパッケージに確実に収納・保管に利用できる。
【図面の簡単な説明】
【００１６】
【図１】本発明のＣＤ用クランプを示し、図１（ａ）は、その平面図、図１（ｂ）は、図１（ａ）のＡ−Ａ′矢視断面図、図１（ｃ）は、その背面図及び図１（ｄ）は、図１（ａ）のＢ矢視部分拡大図を示す。
【図２】図１（ｂ）に示した本発明のＣＤ用クランプの拡大断面図である。
【図３】図２に示した本発明のＣＤ用クランプの図２に示すＣ部拡大部分断面図である。
【図４】従来のＣＤパッケージの斜視図である。
【図５】図４に示した従来のＣＤ用パッケージのＣＤ用クランプの平面図である。
【図６】図５に示したＣＤ用クランプの図５に示すＤ−Ｄ′矢視部分断面図である。
【符号の説明】
【００１７】
１  ＣＤ用クランプ
２  タブ
３  つば部
４  ボス部
５  戻り止め部（突出部）
６  リブ部
【図１】
2008056259.tif 000003
【図２】
2008056259.tif 000004
【図３】
2008056259.tif 000005
【図４】
2008056259.tif 000006
【図５】
2008056259.tif 000007
【図６】
2008056259.tif 000008
(57)【要約】      （修正有）【課題】特に夜間の自動車走行時に、昆虫等がヘッドライト光に誘引され飛来して自動車体の前面部に衝突付着することによって美観が損なわれることを防止するとともに、該昆虫除去の清掃作業の時間短縮を図る。【解決手段】台布１にヘッドライト光が容易に透過するための透明なプラスチックシート部２とエンジンルームへの空気の流通を阻害しないためのメッシュ布部３を接合して一枚のカバー体として構成し、自動車体の前面部に、伸縮性ベルトの先端部に吸盤を取り付けた取っ手４によって、覆い被せるように装着する。一枚のカバー形とするために、簡便に取り扱いができるものである。使用後は該カバー体を車体より取り外して別途洗浄でき、保管時は該カバー体を折りたたむことで保管スペースを小さくできる。【選択図】図２
2008056220.tif 000002
【特許請求の範囲】
【請求項１】
台布１に、透明なプラスチック部２と、メッシュ布部３を接合し、一枚のカバー形として、自動車体の前面部を覆い被せるように作った昆虫等の防護用具。
【発明の詳細な説明】
【技術分野】
【０００１】  本発明は自動車の前面部に装着して、自動車の走行時に昆虫等が車体に直接付着しないために、使用するものである。
【背景技術】
【０００２】  本発明は自動車走行時に、昆虫等が自動車の前面部につき当たり付着するが、付着した昆虫痕等は美観を著しく損なって、清掃作業に長時間の手間を要するものである。特に夜間の走行時においては、昆虫等が自動車のヘッドライト光に誘引され飛び来るために、その昆虫等の付着による汚穢は甚だしいものである。
【発明が解決しようとする課題】
【０００３】  本発明は図面に示すとうり、台布１に透明なプラスチックシート部２と、メッシュ布３を接合して一枚のカバー形として、取り付け取っ手４によって、自動車の前面部に装着するものである。取り付け取っ手４は伸縮するベルトの先端に、吸盤等を用いて自動車体の数箇所に固定して本発明を取りつける。透明なプラスチックシート部２は、夜間ヘッドライトを使用する場合に、ライト光の透過が容易になるために透明とし、主に自動車体のヘッドライト部の上を覆う位置に設定する。メッシュ布３は自動車のエンジンルームに、空気の流通が阻害されない為に、エンジンルームの通気部分を覆うように、メッシュ布３を設定するものである。この異なった素材を並べて台布１に接合して、一枚のカバー形を構成する。一枚のカバー形である為に装着にも、脱着に際しても簡便に、取り扱いができることを特徴としている昆虫等の防護用具である。
【発明の効果】
【０００４】  本発明は、特に気温が高くなる夏季等に、昆虫等の発生が多い時期の自動車での夜間走行時において、自動車の前面部はヘッドライトを、目がけて飛来した昆虫等が付着することによって、汚穢が著しく困るものであるが、自動車の前面部を本発明で覆い被せるように装着することによって、昆虫等の付着による汚穢を防護する効果をもたらすものである。
本発明は手軽に着脱ができるので、必要に応じて何時でも使用が可能である。使用後の昆虫等の防護用具には、昆虫等が付着するのであるが、これは当用具の汚穢を降り払って落としたり、洗浄することによって簡単に再生でき、繰り返して使用ができるものである。
【実施例】
【０００５】  本発明の昆虫等の防護用具は、図面に示すように自動車の前面部を、伸縮する取り付け取っ手４によって、自動車体に固定するように装着する。取り付け取っ手４の先端には吸盤等を取りつけて、自動車体に容易に装着することができる。【０００６】  本発明の使用後は、昆虫等の防護用具が昆虫等で汚穢されるので、その汚穢を振り払ったり、洗浄したりして取り除いてから、小さく折り畳んで簡単に整理することができる。【０００７】  本発明は、自動車の昆虫等の防護用具として、昆虫等の付着によって発生する汚穢を、簡単に防護することを目的とするものである。
【図面の簡単な説明】
【図１】  本発明の構成を示す平面図である。底面図は平面図と同じ。
【図２】  本発明の自動車体への装着参考図である。
【符号の簡単な説明】
１・・・台布
２・・・透明なプラスチックシート部
３・・・メッシュ布部
４・・・取り付け取っ手
５・・・自動車体
【図１】
2008056220.tif 000003
【図２】
2008056220.tif 000004
(57)【要約】【課題】  小型船は主に船外機を用いている、故障時のためサブエンジンを付けているが、小さいエンジンほどメンテナンスが大変で、緊急時役立たない事が多い、メンテナンスのいらない誰にでも容易に使用できる櫓、櫂の推進装置を提供する。【解決手段】  櫓、櫂の羽根を開閉自在にする機能を設けることで  従来の独特な操作は必要なく  船尾に付けた金具を支点に取っ手を前後に動かすだけで誰にでも簡単に推進出来るようにした。【選択図】図１
2008056219.tif 000002
【特許請求の範囲】
【請求項１】
櫓、櫂の水中に潜る部分（羽根）に開閉機能を付けた小型船用推進装置。
【発明の詳細な説明】
【発明の詳細な説明】
【技術分野】
【０００１】この発明は、櫓、櫂の下部（羽根）に開閉する機能を付けた小型船用推進装置に関するものである。
【背景技術】
【０００２】片面が丸みをもつ凸面、裏面は水を漕ぐ平面の固定形があった。
【発明が解決しようとする課題】
【０００３】これは、次のような欠点があった。
（イ）櫓、櫂は独特の操作方法を習得しなければ使用出来なかった。
（ロ）現在は動力推進が主で、補助として櫓、櫂を搭載していても誰にでも使用出来る状態になかった。
本発明は、これらの欠点をなくすためになされたものである。
【課題を解決するための手段】
【０００４】櫓、櫂の羽根部分（１）のセンター（２）に蝶番（３）を設ける、羽根（４）を２分割にして蝶番（３）で繋いで開閉機能を設ける、船の後方へ水を漕ぐときは羽根が１８０度以内に納まるように  ストッパー（５）を設ける、元に戻す時は閉じた状態（６）になり、水の抵抗を少なくする、リブ（７）は水が逃げない機能と閉じた状態から開き易くする隙間をつくる機能である、船尾（８）に付けた金具（９）はユニバーサルジョイント機能を設け  櫓、櫂の前後への動きと、左右への捻りがスムーズにおこなえる。
本発明は、以上のような構成よりなる小型船用推進装置である。
【発明を実施するための最良の形態】
【０００５】以下、本案の実施の形態について説明する。
（イ）櫓、櫂の羽根部分（１）に蝶番（３）を設ける。
（ロ）２分割した羽根（４）を蝶番（３）に繋ぐ。
（ハ）開いた羽根（４）は１８０度以内で止まるようにストッパー（５）を設ける
（ニ）閉じた羽根（４）は少し隙間が出来るようにリブ（７）を設ける。（ホ）船尾（８）にユニバーサルジョイント機能をもった金具（９）を取り付ける。
本案を使用するときは  この金具（９）を支点として取っ手（１０）を前後に動かすだけで誰にでも簡単に推進力を得ることが出来る。
【発明の効果】
【０００６】本案は以上のような構造で、メインエンジンが故障の緊急時に金具（９）にセットして取っ手（１０）を前後に動かすだけで推進力を得る。
【図面の簡単な説明】
【図１】本発明の斜視図である。
【図２】本発明の動作図である。
【図３】本発明の拡大、断面図である。
【符合の説明】
１は羽根部分  ２はセンター  ３は蝶番  ４は羽根  ５はストッパー  ６は閉じた状態  ７はリブ  ８は船尾部分  ９は金具  １０は取っ手  １１は開いた状態
【図１】
2008056219.tif 000003
【図２】
2008056219.tif 000004
【図３】
2008056219.tif 000005
(57)【要約】【課題】靭性に優れたチェーンリンク用耐熱材料を提供することである。【解決手段】チェーンリンク用耐熱材料の組成を、Ｃ：０．２〜０．５ｗｔ％、Ｓｉ：２ｗｔ％以下、Ｍｎ：２ｗｔ％以下、Ｃｒ：２４〜２８ｗｔ％、Ｎｉ：１１〜１４ｗｔ％、Ｎ：０．２１〜０．２９ｗｔ％を含有し、残部がＦｅおよび不可避的不純物からなるものとした。これにより、ＳＣＨ１３よりも優れた靭性と、ＳＣＨ１３と同等以上の強度を有し、高温雰囲気中で使用されるコンベヤチェーンを構成するチェーンリンクの素材に適した材料とすることができる。【選択図】図２
2008056996.tif 000002
【特許請求の範囲】
【請求項１】
Ｃ：０．２〜０．５ｗｔ％、Ｓｉ：２ｗｔ％以下、Ｍｎ：２ｗｔ％以下、Ｃｒ：２４〜２８ｗｔ％、Ｎｉ：１１〜１４ｗｔ％、Ｎ：０．２１〜０．２９ｗｔ％を含有し、残部がＦｅおよび不可避的不純物からなり、コンベヤチェーンを構成するチェーンリンクの素材として使用されるチェーンリンク用耐熱材料。
【発明の詳細な説明】
【技術分野】
【０００１】
本発明は、高温雰囲気中で使用されるチェーンの部品であるチェーンリンク、特にコンベヤチェーンを構成するチェーンリンクの素材とされる耐熱材料に関する。
【背景技術】
【０００２】
鉄鋼生産設備等において高温雰囲気中に設置されるチェーンコンベヤ、例えば粒状高炉原料（ペレット）の焼成工程で原料を搬送するもの等では、その主要部材であるコンベヤチェーンを構成するチェーンリンクの素材として、JIS G 5122に規定されるＳＣＨ１３を使用することが多い。このように、ＳＣＨ１３は、汎用的な耐熱材料として多くの耐熱部品に使用されている（例えば、特許文献１参照。）。
【特許文献１】特開２００４−１８３０５２号公報
【０００３】
ところで、一般的な耐熱部品は高温での使用中に一定の荷重が加わってクリープ破断に至るケースが多いが、コンベヤチェーンの場合は使用中に衝撃的な引張力が加わることがあるため、高温雰囲気中で使用されるコンベヤチェーンを構成するチェーンリンクの素材は、高温強度だけでなく靭性にも優れていることが要求される。
【０００４】
しかしながら、上記ＳＣＨ１３を用いて作製したチェーンリンクは、衝撃的な引張力に起因すると考えられる割れにより比較的短期間で交換されるケースが多く、高温で使用されるチェーンリンクの寿命向上のために、ＳＣＨ１３よりも靭性に優れた耐熱材料の開発が望まれていた。
【発明の開示】
【発明が解決しようとする課題】
【０００５】
本発明の課題は、靭性に優れたチェーンリンク用耐熱材料を提供することである。
【課題を解決するための手段】
【０００６】
上記の課題を解決するために、本発明のチェーンリンク用耐熱材料は、Ｃ：０．２〜０．５ｗｔ％、Ｓｉ：２ｗｔ％以下、Ｍｎ：２ｗｔ％以下、Ｃｒ：２４〜２８ｗｔ％、Ｎｉ：１１〜１４ｗｔ％、Ｎ：０．２１〜０．２９ｗｔ％を含有し、残部がＦｅおよび不可避的不純物からなり、コンベヤチェーンを構成するチェーンリンクの素材として使用されるものとした。
【０００７】
すなわち、チェーンリンク用耐熱材料を、ＳＣＨ１３にＮをJIS G 5122に規定される範囲（０．２０ｗｔ％以下）よりも多く添加したものとすることにより、ＳＣＨ１３よりも結晶粒を微細化して優れた靭性が得られるようにしたのである。また、Ｎ添加量を増やすことにより、ＳＣＨ１３で析出しているＣｒ炭化物を、高温被熱があっても凝集粗大化しにくいＣｒ炭窒化物として析出させることができるので、時効脆化を抑制することもできる。
【０００８】
そして、Ｎ以外の合金元素の含有量はJIS G 5122に規定されるＳＣＨ１３の成分範囲とすることにより、ＳＣＨ１３と同等以上の高温強度が得られるようにしている。また、Ｎ含有量は、後述するように、０．３０ｗｔ％以上になるとＳＣＨ１３に対する靭性向上効果がなくなるので、上限値を０．２９ｗｔ％とした。
【発明の効果】
【０００９】
本発明のチェーンリンク用耐熱材料は、上述したように、ＳＣＨ１３をベースとして、Ｎの含有量を適度な範囲まで増やすことにより、ＳＣＨ１３よりも靭性を向上させたものである。従って、この耐熱材料を用いて作製したチェーンリンクは、衝撃的な引張力を受けても割れが生じにくく、高温雰囲気中に設置されるチェーンコンベヤの部品として安定して長期間使用することができる。
【発明を実施するための最良の形態】
【００１０】
以下、図面に基づき、本発明を適用した耐熱材料の特性を確認した実験について説明する。実験に用いた耐熱材料（実施例、比較例１〜５）は、表１に示すように、ＳＣＨ１３をベースとしてＮ添加量を変化させたもので、その他の合金元素の含有量はほぼ同じになっている。これらの耐熱材料を図１に示すＹブロック形（先端部の厚さｔ＝３０ｍｍ）に鋳造し、各鋳造片の先端部から切り出した試験片を用いて、鋳放し状態でのＶノッチシャルピー衝撃試験、常温引張試験および７００℃での引張試験を実施した。
【００１１】
【表１】
2008056996.tif 000003
【００１２】
図２は、常温Ｖノッチシャルピー衝撃試験の結果を示す。この図から、シャルピー衝撃値は、Ｎ添加量が０．３０ｗｔ％に達するまでの領域ではＮ添加量の増加に伴って上昇することがわかる（比較例１〜３、実施例）。ただし、Ｎ添加量が０．３０ｗｔ％以上になると、衝撃値は大きく低下する（比較例４、５）。これは、Ｃｒ炭窒化物の析出が著しくなるためと考えられる。
【００１３】
図３は常温引張試験の結果を、図４は７００℃での引張試験の結果を示す。これらの図から、いずれの温度条件においても、引張強さおよび耐力はＮ添加量の増加とともに上昇する傾向にあることがわかる。
【００１４】
上述した実験結果から、実施例の耐熱材料は、Ｎ添加量を０．２０ｗｔ％以下に規定されるＳＣＨ１３（比較例１〜３）よりも優れた靭性と、ＳＣＨ１３と同等以上の強度を有することが確認された。
【００１５】
従って、実施例の耐熱材料を素材としてチェーンリンクを作製すれば、高温雰囲気中に設置されるチェーンコンベヤの部品として長期間安定して使用できるものが得られる。
【図面の簡単な説明】
【００１６】
【図１】ａ、ｂは、それぞれ実施例および比較例の耐熱材料の試験片母材とした鋳造片の正面図および側面図
【図２】常温シャルピー衝撃試験の結果を示すグラフ
【図３】常温引張試験の結果を示すグラフ
【図４】７００℃での引張試験の結果を示すグラフ
【図１】
2008056996.tif 000004
【図２】
2008056996.tif 000005
【図３】
2008056996.tif 000006
【図４】
2008056996.tif 000007
(57)【要約】【課題】現在広く行われているジュンサイ摘み取り用の船を使っての作業においては、一人乗りで平底の船が多用されており、作業する水面から作業員までの距離を確保する必要性から作業の姿勢は、足を畳んでの前傾姿勢であり作業員の疲労や作業能率において課題があり、また事業自体が小規模なこともあって船の機械化は費用の上での課題もある。【解決手段】本発明は、現状の ジュンサイ摘み取り用の船に改良を加え考案したもので現状の船の舳先部分を床から船底にわたり開放させ、開放部分を作業スペースとし開放部分の前方に船の進行に伴いジュンサイの葉やゴミを船の外周に排除するフロートを設けて葉やゴミの排除作業を軽減し更に、作業員は、足を伸ばした状態で作業できるよう船底の形状を工夫し、合せて舳先部分及び船底の形状の効果により作業員から摘み取る水面までの距離の確保が計られている。【選択図】図１
2008056070.tif 000002
【特許請求の範囲】
【請求項１】
ジュンサイ田からジュンサイを摘み取る作業で使用されるジュンサイ摘取り船において船の船底などの一部を矩形、円形などに開放し、開放部分を水面、水中での作業スペースとしたジュンサイ摘取り船。
【請求項２】
船底の形状を双胴としたジュンサイ摘取り船。
【請求項３】
常に水面との高低を一定に保ち水に浮くジュンサイの葉やゴミを船の外周に押しやるフロート状の装置を有するジュンサイ摘取り船。
【発明の詳細な説明】
【技術分野】
【０００１】
本発明は、ジュンサイ田からジュンサイを摘み取る作業において使用され作業員などを乗せるための作業船に関するものである。 
【背景技術】
【０００２】
現在広く使われている摘取り船は、単純な立方体や円形であり作業員は、足を折って座ってジュンサイの葉やゴミを手作業のみで押しやりながら摘み取りの作業をしている。
【０００３】
しかし、現在の摘取り船の使用においては、作業員が足を折った状態で作業しておりまた、水面に無数に浮く葉やゴミを手作業のみで押しやりながら摘み取りの作業をしているため作業員の疲労が大きく能率も低いという課題がある。
【発明の開示】
【課題を解決するための手段】
【０００４】
本発明は、作業員が足を開いて座った状態に合せて船の舳先部分をブイ（ｖ）字の形に床から船底までを開放し開放部分を摘み取りのための作業スペースとし、舳先の前端には板または格子のフロート状の装置を設け船の進行に伴いフロート状の装置が葉やゴミを押しのけてゆく船とすることで課題を解決したものである。
【０００５】
また、足を伸ばすことのために生じた空間による浮力を軽減させ作業する水面までの距離を確保するため船底の中央を前後に凹形にし双胴とし、船全体を浮力軽減の分で沈ませる。
【発明を実施するための最良の形態】
【０００６】
本発明は、図１に示されるように船の舳先の部分を上端１から船底２にわたりブイ字に開放する形状とし、ブイ字の空間を摘み取りのための作業スペースとする。
【０００７】
船底２は、前後において凹形に窪ませた双胴にし、作業員は、イス６に座り双胴の舳先の前方に足を置く。
【０００８】
開放された舳先部分の前端には、水面の葉やゴミを排除し水面または一部水中に浮き支持滑節部５により支持されるフロート４を設け、進行に伴いできる作業スペースの水面の視野を確保する。
【０００９】
次に、摘取り船での作業について説明する。作業員７は、イス６に座り体を前傾させることで全体の重心を舳先方向に移し舳先部分を少し沈ませることで作業のための水面までの距離、高さを確保し、フロート４を水面に浮かせた状態で船を漕ぐと進行に伴いフロートにより葉やゴミが排除され視野が確保され水中でのジュンサイの芽の摘取りが行われ、舳先部分の開放された作業スペースでの摘み取りが終わったら漕ぎ棒などで船を次の場所へ移動させる。
【実施例１】
【００１０】
図１は、本発明船の１実施例で全体を示し上方から見たものである。
【図面の簡単な説明】
【００１１】
【図１】本発明船の実施方法を示した説明図である。（実施例１）
【図２】船本体の説明図である。
【図３】作業時の状態の説明図である。
【００１２】
各部の名称
１  船の上端
２  船底
３  双胴とするための船底の凹部
４  葉やゴミを排除するフロート
５  フロートの支持滑節部
６  イス
７  作業員
８  ジュンサイ
【図１】
2008056070.tif 000003
【図２】
2008056070.tif 000004
【図３】
2008056070.tif 000005
(57)【要約】【課題】  既存のシステムの中で、家庭用、事業所用のゴミの資源リサイクルを実施する為の方法を提供する。【解決手段】  乾電池をインスタント・コーヒーの空ボトルなど、生ゴミは、市販の水切りネットで、セロハンテープでまとめ、他は、レジ袋、百貨店の手提げ袋などで「燃えるゴミ」と「燃えないゴミ」に分別して、公的機関において資源リサイクルを実施する為の、資源リサイクル・システム。【特許請求の範囲】
【請求項１】
インスタント・コーヒーの空ボトル、粉状乳製品の空ボトル、レジ袋、百貨店などが提供してくれる手提げ袋、日本茶系などの缶、粉末コーヒー豆の缶などを資源収集の補助手段とする、公的機関において資源リサイクルを実施する為の方法。
【発明の詳細な説明】
【技術分野】
【０００１】  本発明は、公的機関において資源リサイクルを実施する為の方法に関するものである。
【背景技術】
【０００２】  従来、日本では、ゴミの収集にあたり「燃えるゴミ」と「燃えないゴミ」に分別して収集していた。
【発明の開示】
【発明が解決しようとする課題】
【０００３】  そのために、次のような問題点があった。
（イ）生ゴミは「燃えるゴミ」として処理されるので、焼却炉の炉がいたむ。
（ロ）乾電池、プラスチック、発泡スチロール、アルミ、アルミはく、アルミ缶、スチール缶、ビンなどを「燃えないゴミ」として埋め立て処理している。
本発明は、これらの問題点を解決するためになされたものである。
【課題を解決するための手段】
【０００４】  インスタント・コーヒーのビン、乳製品添加物などのビン、企業が提供してくれるレジ袋、百貨店などの手提げ袋などに、家庭ゴミ、或いは事業所のゴミを分別して、公的機関に収集してもらうことを特徴とする資源リサイクルの方法。
【発明の効果】
【０００５】  既存のシステムの中で、家庭用、事業所用のゴミが分別して収集できる。
【発明を実施するための最良の形態】
【０００６】  以下、本発明の実施の形態について説明する。
（イ）乾電池⇒主に、インスタント・コーヒーと乳製品添加物などのボトルに入れて収集する。
後処理がしやすい。
（ロ）アルミはく、発泡スチロール、ビン、プラスチック、スチール缶、アルミ缶、缶詰の缶などを、レジ袋、百貨店の手提げ袋、主として、レジ袋で収集する。
但し、乾電池は除く。
（ハ）百貨店の手提げ袋は、どのような素材のものでも通用する。
但し、乾電池は除く。
（ニ）日本茶系などの缶と粉末豆コーヒーの缶なども含む。
但し、乾電池には使わない方がよい。
（ホ）生ゴミは、市販の三角コーナー用水切り袋（ネットタイプなど）など、セロハンテープを常備させ、それでまとめる。
（ヘ）アルミ、アルミはく、発泡スチロール、プラスチック、アルミ缶、スチール缶、ビンなどはレジ袋、百貨店の手提げ袋などで「燃えないゴミ」とし、紙類は生ゴミと一緒にして「燃えるゴミ」として、ゴミ収集袋に分別してゴミ集積所に出してもらう。
（ト）生ゴミはまとめて、ｃｏｍｐｏｓｔ（堆肥）とし、乾電池は、インスタント・コーヒーの空ボトルなので、プラント工場を建設した時、容易に、ボトル・ネック開により、ベルト・コンベヤーの上に後処理できる。
本発明は以上のような構成で、家庭用、事業所用のゴミを分別し、公的機関に回収してもらう。
しかも、その手段とする、レジ袋、インスタント・コーヒーのボトル、百貨店の手提げ袋などは現時点（２００６年８月２３日、日本国内）で、企業が消費者に提供してくれる備品なので、公的負担は０円。
このような点を特徴とする、公的機関において実施してもらう資源リサイクル・システム。
(57)【要約】【課題】      本発明の課題は、茶筒と呼ばれる紙容器にパンやラスクや米飯等の食品を入れて、底蓋を指で押し上げることによって中の食品をスムーズに容器の外に持ち上げて食する事が可能となる底蓋を開発する事であり、従来の丸抜き平面底蓋では指で押し上げる際に平面底蓋自体が容器内で傾斜したり反転したりして、中身の食品をうまく押し上げにくくしたり、さらに中身のパン屑やラスク屑や米飯屑などが底蓋と容器の間にできた隙間からぼろぼろとこぼれ落ちるという欠点があった。【解決手段】  上記課題を解決するために、底蓋の形状を従来の丸抜き平面底蓋ではなく、カップ式底蓋とする事によって、指で底蓋を押し上げる時に紙容器内側側面とカップ式底蓋の側面立ち上がり部分とが接触する過程に発生する摩擦を活用することによって底蓋が安定した上下の可変移動として可能となる構造とした。これによって底蓋の傾斜や反転を防ぎ、課題である上下移動における安定性と食品の欠片等のこぼれ落ちを防止できるようになった。【選択図】図１
2008056342.tif 000002
【特許請求の範囲】
【請求項１】
茶筒と呼ばれる円筒形の紙容器にパンやラスクや米飯等の食品を入れて、底蓋を指で押し上げることによって中の食品をスムーズに容器の外に持ち上げてから食する事が可能となるカップ状を特徴とするカップ式底蓋付き紙容器である。
【請求項２】
底蓋が下から押し上げられるときに立ち上がり部分がなく平面であるために傾斜したり反転してしまう事を防ぐためにカップ式底蓋の側面立ち上がりサイズは容器内の食品の種類に合わせた最適な３ｍｍ〜３０ｍｍとすることによって容器内の上下移動に際しての底蓋の安定性を確保し、さらにカップ式底蓋の内側側面及び底面にはパンやラスク等の食品の油脂漏れ防止用グラシン紙が一体成形されている請求項１に記載のカップ式底蓋付き紙容器である。
【発明の詳細な説明】
【技術分野】
【０００１】  本発明は紙容器に入ったパンやラスクや米飯類の食品を上下に安定して押し上げる事のできるカップ式底蓋付き紙容器に関するものである。
【背景技術】
【０００２】  従来、お茶の葉を入れた茶筒と呼ばれる円筒形の紙容器があり、丸抜き平面底蓋を有していた。この底蓋は厚さ２ｍｍ程度の平面であるため、指で底蓋を押し上げる際に途中で傾斜したり反転したりしていた。
【発明の開示】
【発明が解決しようとする課題】
【０００３】  本発明の課題は、茶筒と呼ばれる紙容器にパンやラスクや米飯等の食品を入れて、底蓋を指で押し上げることによって中の食品をスムーズに容器の外に持ち上げて食する事が可能となる底蓋を開発する事であり、従来の丸抜き平面底蓋では指で押し上げる際に平面底蓋自体が容器内で傾斜したり反転したりして、中身の食品をうまく押し上げにくくしたり、さらに中身のパン屑やラスク屑や米飯屑などが底蓋と容器の間にできた隙間からぼろぼろとこぼれ落ちるという欠点があった。
【課題を解決するための手段】
【０００４】上記課題を解決するために、底蓋の形状を従来の丸抜き平面底蓋ではなく、カップ式底蓋とする事によって、指で底蓋を押し上げる時に紙容器内側側面とカップ式底蓋の側面立ち上がり部分とが接触する過程に発生する摩擦を活用することによって底蓋が安定した上下の可変移動として可能となる構造とした。これによって底蓋の傾斜や反転を防ぎ、課題である上下移動における安定性と食品の欠片等のこぼれ落ちを防止できるようになった。【０００５】  また、カップ式底蓋付き紙容器は、カップ内側にグラシン紙を一体化しているため、パンやラスク等の食品の油脂分をカップ内にて止めおくとともに、底蓋の外側への油脂の滲みだしも防ぐ事となり、環境も汚さず、紙容器としての見栄えも良くなり清潔感が助長された。【０００６】  さらに、紙容器底部を可変状のカップ式底蓋とする事によって生ずるスムーズな上下移動を実現するために、断裁グラシン紙を紙容器内側側面とカップ式底蓋の立ち上がり部分の間に入れ込むことによって紙容器内の食品を容器の外に押し出すために必要な適度の摩擦と潤滑の相反する特性を同時に達成することができた。
【発明を実施するための最良の形態】
【０００７】  以下、本発明の実施の形態を図１〜図３に基づいて説明する。
上述したように、本発明は紙容器内の食品類を指で押し上げる事によって中の食品をスムーズに容器の外に持ち上げて食する事が可能となる底蓋を開発する事であり、それを実現するために、まず図１の１紙容器内に容器サイズより１０ｍｍ程度高さが短い図１の４断裁グラシン紙を２容器内側側面に沿って接着せずに巻き込み、容器内に入った食品をスムーズに容器外に押し出し易くしている。図２の３カップ式底蓋は薄い紙製のカップ状となっていて、図２の６立ち上がり部分を容器内の食品の種類によって最適なサイズを選択するが３ｍｍ〜３０ｍｍの範囲でとってあり、この立ち上がり部分が紙容器側面に触れながら紙容器内部を上下に移動する。従来の丸抜き平面底蓋が時として傾斜したり反転したりする事を防ぎ容器内の食品の欠片が底からこぼれ落ちる事を解消する事ができた。【０００８】図２の３カップ式底蓋内側全面は７油脂漏れ防止用グラシン紙が一体成形されていて、中身の食品の油脂漏れのシミ等が底蓋外側に滲みださないようになった。
【発明の効果】
【０００９】カップ式底蓋付き紙容器は、従来の紙容器入りの様々な食品を上に押し上げるだけで簡単に取り出せる構造を持ちながら、丸抜き平面底蓋であったがために傾斜や反転という欠点を解消して容器内の食品の欠片等を底からこぼれ落ちないようにする事ができた。これによって食する場所の周囲環境を汚すことがなくなった。さらに紙容器の底蓋を押し上げて中身の食品を容器外に出す時に、その食品に直に手を触れなくてすむために、手を汚さず食する事が可能となり、且つ逆に手が汚れている人でも手の汚れを気にせず食する事ができるようになった。
【図面の簡単な説明】
【００１０】
【図１】  カップ式底蓋付き紙容器の断面図である。
【図２】  カップ式底蓋の側面図である。
【図３】  カップ式底蓋が持ち上がった状態の断面図である。
【符号の説明】
【００１１】１  紙容器
２  紙容器内側側面
３  カップ状底蓋
４  断裁グラシン紙
５  カール部分
６  底蓋立ち上がり部分
７  油脂漏れ防止用グラシン紙
【図１】
2008056342.tif 000003
【図２】
2008056342.tif 000004
【図３】
2008056342.tif 000005
(57)【要約】【課題】開けやすい容器のフタを提供する。【解決手段】フタに溝や突起を設ける。【選択図】図１
2008056343.tif 000002
【特許請求の範囲】
【請求項１】
上面に溝又は突起を持つフタ
【発明の詳細な説明】
【発明の詳細な説明】
【技術分野】
【０００１】本発明は、飲料や瓶詰、栄養ドリンク、パウチ飲料等の容器のフタに関する物である。
【背景技術】
【０００２】従来のフタ（キャップ）はサイドに溝が設けてあるが滑りやすくあけ難い。
【発明が解決しようとする課題】
【０００３】解決しようとする課題は、握力が無くても簡単に開けられるフタを提供することである。
【課題を解決するための手段】
【０００４】その方法を図を示しながら説明すると、フタＩの上面に溝２又は突起３を設ける。
【発明を実施するための最良の形態】発明の実施の形態例について説明すると、図１はフタ１に溝２を設けた物である。【０００５】この溝にコインなどを差し込んで回すと楽にフタをまわすことが出来る【０００６】この溝２は上面よりは短くしておくとこの溝に何かが当たってフタが勝手に緩むのを防ぐことが出来る。【０００７】図３のように上面全体に溝２を設ける事もできる。
このようにしておくとコインより長い物を差し込むことが出来力が掛かりやすい。【０００８】図４はフタ１の上面に折りたたみ可能な突起３を設けた物である。
通常この突起３はフタの上に一体になっており、フタを開けるときに図３のように持ち上げて突起とする。
この突起３を持って回す。この突起があれば力が入りやすい。又輸送中などは突起が無くなるので物に当たってフタが緩むことが無い。【０００９】図６のようにフタ１に穴４を設けてやればこの穴４にピンなどを差し込んで楽に回すことが出来る。【００１０】図７のように溝を２に嵌るようなレバー５を設けた物である。フタをまわすときこのレバーを持ち上げ図８のような形にしこのレバー５を押してフタを回す。【００１１】このレバー５はフタ１と一体になっており、折りたためるようにしておく。【００１２】図９のように溝２の他にフタ１の上面に突起６を設けておくとフタ１の形状により溝２を深くすることが出来ない時にコインなどにきちんと当てることが出来コイン等をフタに強く押し当てなくてもフタ１を回すことが出来る。
【発明の効果】
【００１３】以上に説明したように本発明のによればあけ難いフタが楽に開けられるようになる。
【図面の簡単な説明】
【図１】上面より短い溝を持つフタ示す図である。
【図２】断面図である。
【図３】フタと同じ長さの溝を持つフタを示す図である。
【図４】折りたたみ式の突起を持つフタの図である。
【図５】図４の突起を持ち上げた図である。
【図６】フタにピンなどを通せる穴を持つフタの図である。
【図７】折りたたみ式の突起を持つフタの図である。
【図８】突起を持ち上げた図である。
【図９】フタに溝を設けさらに上面に突起を設けたものの図である。
【符号の説明】
１  フタ  ２  溝  ３  折りたたみ式突起  ４  穴  ５  レバー  ６  突起
【図１】
2008056343.tif 000003
【図２】
2008056343.tif 000004
【図３】
2008056343.tif 000005
【図４】
2008056343.tif 000006
【図５】
2008056343.tif 000007
【図６】
2008056343.tif 000008
【図７】
2008056343.tif 000009
【図８】
2008056343.tif 000010
【図９】
2008056343.tif 000011